(57)【要約】      （修正有）【課題】検出用ＩＣ等の制御部が飽和状態となる可能性を低減し、感度を向上させることができる静電容量型タッチパネルを提供する。【解決手段】第１電極層２００ａと、第２電極層２００ｂと、層間部１００ａ、５００ｂ、３００ｂとを備えたタッチパネルにおいて、第１電極層２００ａは複数の第１電極２１０ａを有し、第１電極２１０ａは第１方向（Ｙ−Ｙ’方向）に間隔をあけて配置されている。第２電極層２００ｂは複数の第２電極２１０ｂを有し、第２電極２１０ｂは、第１電極２１０ａに交差するように、第２方向（Ｘ−Ｘ’方向）に間隔をあけて配置されている。層間部１００ａ、５００ｂ、３００ｂは第１電極層２００ａと第２電極層２００ｂとの間に介在している。層間部１００ａ、５００ｂ、３００ｂの厚み寸法は、各第１電極２１０ａと各第２電極２１０ｂとのそれぞれの結合容量値が０．５ｐＦ以上２ｐＦ以下となるような寸法である。【選択図】図１Ｂ
2016009213.tif 000002
【特許請求の範囲】
【請求項１】
第１方向に間隔をあけて配置された複数の第１電極を有する第１電極層と、
前記第１電極に交差するように、前記第１方向に交差する第２方向に間隔をあけて配置された複数の第２電極を有する第２電極層と、
前記第１電極層と前記第２電極層との間に介在する一又は複数の層間部とを備えており、
前記層間部の厚み寸法が、各前記第１電極と各前記第２電極とのそれぞれの結合容量値が０．５ｐＦ以上２ｐＦ以下となるような寸法である静電容量型タッチパネル。
【請求項２】
請求項１記載の静電容量型タッチパネルにおいて、
前記第１電極層は、前記第１電極に接続された複数の第１配線を有しており、前記第１配線は、前記第２電極に対して略平行に延びた第１平行部を有しており、
前記第２電極層は、前記第２電極に接続された複数の第２配線を有しており、前記第２配線は、前記第１電極に対して略平行に延びた第２平行部を有しており、
前記第１平行部のうちの前記第２電極の最も近くに配置された第１平行部と、当該第２電極との間の前記第２方向の距離が０.４ｍｍ以上であり、
前記第２平行部のうちの前記第１電極の最も近くに配置された第２平行部と、当該第１電極との間の前記第１方向の距離が０.８ｍｍ以上である静電容量型タッチパネル。
【発明の詳細な説明】
【技術分野】
【０００１】
本発明は、静電容量型タッチパネルに関する。
【背景技術】
【０００２】
従来の静電容量型タッチパネルは特許文献１に記載されている。このタッチパネルは、第１基材と、第１基材上に設けられた複数の第１電極と、第２基材と、第２基材上に第１電極に交差するように設けられた複数の第２電極とを備えている。
【先行技術文献】
【特許文献】
【０００３】
【特許文献１】特開２０１２−２０３６２８号公報
【発明の概要】
【発明が解決しようとする課題】
【０００４】
上記第１、第２電極のうちの一方が駆動電極であり、他方が検出電極である。検出電極は検出用ＩＣに電気的に接続されている。検出用ＩＣ内の増幅器によって、検出電極の出力信号が増幅され、タッチパネルの感度を向上させている。
【０００５】
しかし、各第１電極と各第２電極とのそれぞれの結合容量値が２ｐＦ以上である場合、増幅器によって検出電極の出力信号を増幅させると、増幅された信号が検出用ＩＣの上限値を超え、当該検出用ＩＣが飽和状態になる。
【０００６】
本発明は、上記事情に鑑みて創案されたものであって、その目的とするところは、検出用ＩＣ等の制御部が飽和状態となる可能性を低減し、感度を向上させることができる静電容量型タッチパネルを提供することにある。
【課題を解決するための手段】
【０００７】
上記課題を解決するために、本発明の静電容量型タッチパネルは、第１電極層と、第２電極層と、一又は複数の層間部とを備えている。第１電極層は、複数の第１電極を有している。第１電極は第１方向に間隔をあけて配置されている。第２電極層は、複数の第２電極を有している。第２電極は、第１電極に交差するように、第１方向に交差する第２方向に間隔をあけて配置されている。一又は複数の層間部は第１電極層と第２電極層との間に介在している。層間部の厚み寸法が、各第１電極と各第２電極とのそれぞれの結合容量値が０．５ｐＦ以上２ｐＦ以下となるような寸法である。
【０００８】
このような態様の静電容量型タッチパネルによる場合、一又は複数の層間部によって、各第１、第２電極のそれぞれの結合容量値が０．５ｐＦ以上２ｐＦ以下となるように第１、第２電極が離間されるので、第１、第２電極の少なくとも一方の電極の出力信号が増幅されたとしても、増幅された信号が制御部の上限値を超える可能性（制御部が飽和状態になる可能性）を低減することができる。よって、一方の電極の出力信号を増幅させることが可能になるので、本タッチパネルの感度を向上させることが可能になる。
【０００９】
第１電極層は、第１電極に接続された複数の第１配線を有する構成とすることが可能である。第１配線は、第２電極に対して略平行に延びた第１平行部を有する構成とすることが可能である。第２電極層は、第２電極に接続された複数の第２配線を有する構成とすることが可能である。第２配線は、第１電極に対して略平行に延びた第２平行部を有する構成とすることが可能である。第１平行部のうちの第２電極の最も近くに配置された第１平行部と、当該第２電極との間の第２方向の距離が０.４ｍｍ以上とすることが可能である。第２平行部のうちの第１電極の最も近くに配置された第２平行部と、当該第１電極との間の第１方向の距離が０.８ｍｍ以上とすることが可能である。
【００１０】
このような態様の静電容量型タッチパネルによる場合、第１配線の最も近くに配置された第１平行部と第２電極との静電結合及び／又は第２配線の最も近くに配置された第２平行部と第１電極との静電結合が、各第１電極と各第２電極とのそれぞれの結合容量の変化に影響を与える可能性を低減することができる。
【図面の簡単な説明】
【００１１】
【図１Ａ】本発明の実施例１に係る静電容量型タッチパネルの概略的底面図である。
【図１Ｂ】前記タッチパネルの図１Ａ中の１Ｂ−１Ｂ断面図である。
【図２Ａ】前記タッチパネルの第１電極層及び第１基材の概略的底面図である。
【図２Ｂ】前記タッチパネルの第２電極層及び第２基材の概略的底面図である。
【図３】本発明の実施例１に係るタッチパネルの図１Ｂに対応する概略的断面図である。
【図４】本発明の実施例３に係るタッチパネルの図１Ｂに対応する概略的断面図である。
【発明を実施するための形態】
【００１２】
以下、本発明の実施例１〜３について詳しく説明する。
【実施例１】
【００１３】
以下、本発明の実施例１に係る静電容量型タッチパネルＴ１について図１Ａ〜図２Ｂを参照しつつ説明する。タッチパネルＴ１は、第１基材１００ａと、第２基材１００ｂと、第１電極層２００ａと、第２電極層２００ｂと、第１保護層３００ａと、第２保護層３００ｂと、カバーパネル４００と、第１接着層５００ａと、第２接着層５００ｂと、低反射部６００とを備えている。以下、タッチパネルＴ１の各構成要素について詳しく説明する。なお、図１Ａ〜図１Ｂに示すＹ−Ｙ’方向（特許請求の範囲の第１方向）はタッチパネルＴ１の長手方向である。図１Ａに示すＸ−Ｘ’方向（特許請求の範囲の第２方向）はタッチパネルＴ１の短手方向である。図１Ｂに示すＺ−Ｚ’方向はタッチパネルＴ１の厚み方向である。Ｘ−Ｘ’方向はＹ−Ｙ’方向に直角に交差し、Ｚ−Ｚ’方向は、Ｙ−Ｙ’方向及びＸ−Ｘ’方向に直角に交差している。
【００１４】
第１基材１００ａは、図１Ａ〜図２Ａに示されるように、透光性を有するガラスシート又は透光性を有する樹脂フィルムである。この第１基材１００ａは、第１面と、この第１面の裏側の第２面とを有している。第１基材１００ａの第１面上に第１電極層２００ａが設けられている。
【００１５】
第１電極層２００ａは、図１Ａ及び図２Ａに最も良く示されているように、複数の第１電極２１０ａと、複数の第１配線２２０ａとを有している。第１電極２１０ａは、Ｘ−Ｘ’方向に延びた長尺状の透明導電膜、導電ワイヤー又は導体であって、第１基材１００ａの第１面上にＹ−Ｙ’方向に間隔をあけて設けられている。第１電極２１０ａは検出電極（センサ電極）である。前記透明導電膜は、ＩＴＯ（酸化インジウム＋酸化錫）、ＩＺＯ（酸化インジウム＋酸化亜鉛）、ＡＺＯ（ＡＩドープ酸化亜鉛）又は導電性高分子（ＰＥＤＯＴ又はＰＳＳ）等で構成されている。前記導電ワイヤーは、銀（Ａｇ）ナノワイヤー又は線幅１５μｍ以下のメタルワイヤー等である。前記導体は、感光性銀やグラフオフセット等で作製された線幅１５μｍ以下の金属（例えば、Ａｇ、Ｃｕ）で構成された導体である。
【００１６】
第１配線２２０ａは、長尺状の透明導電膜、金属（例えば、銀（Ａｇ）、モリブデン（Ｍｏ）、アルミニウム（Ａｌ）又は銅（Ｃｕ））、合金（例えば、銀（Ａｇ）、パラジウム（Ｐｄ）及び銅（Ｃｕ）の合金）又はメタルワイヤーである。前記透明導電膜は第１電極２１０ａの透明導電膜と同じ素材で構成することが可能である。第１配線２２０ａは、第１基材１００ａの第１面上に間隔を空けて設けられ、第１電極２１０ａの端に各々接続されている。第１配線２２０ａは、第２電極層２００ｂの後述する第２電極２１０ｂに対して略平行に延びる第１平行部２２１ａを有している。距離Ｄ１は、第１平行部２２１ａのうち、Ｘ’方向側の最も端に位置する第２電極２１０ｂの最も近くに配置された第１平行部２２１ａと、当該第２電極２１０ｂとの間のＸ−Ｘ’方向の距離（投影距離）である。距離Ｄ１は、静電結合Ｃ１が静電結合Ｃ２よりも小さくなる（約１／１０以下となる）程度の距離（例えば、０.４ｍｍ以上）に設定されている。静電結合Ｃ１は、最も近くに配置された第１平行部２２１ａと、最も端に位置する第２電極２１０ｂとの静電結合である。静電結合Ｃ２は、最も端に位置する第２電極２１０ｂと、最も近くに配置された第１平行部２２１ａを有する第１配線２２０ａに接続された第１電極２１０ａとの交差部分の静電結合である。
【００１７】
第１保護層３００ａは、図１Ｂに示すように、透光性を有する絶縁層（例えば、アクリル系材料）であって、第１電極層２００ａ上に設けられている。第１保護層３００ａが、第１電極２１０ａ及び／又は第１配線２２０ａを覆っている。
【００１８】
第１接着層５００ａは、図１Ｂに示すように、透光性を有する接着剤又は両面テープである。この第１接着層５００ａによって、カバーパネル４００が第１保護層３００ａに固着されている。カバーパネル４００は、透光性を有する樹脂又はガラスである。カバーパネル４００が樹脂である場合、カバーパネル４００の誘電率が２.５〜４であり且つカバーパネル４００のＺ−Ｚ’方向の寸法（厚み寸法）が２.５ｍｍ以上とすると良い。カバーパネル４００がガラスである場合、カバーパネル４００の誘電率が５〜７であり且つカバーパネル４００のＺ−Ｚ’方向の寸法（厚み寸法）が５ｍｍ以上とすると良い。カバーパネル４００に、スクリーン印刷やグラビア印刷等を行うことにより又は加飾フィルムを貼付することにより、図示しない加飾層を形成しても良い。
【００１９】
第２基材１００ｂは、図１Ａ〜図１Ｂ及び図２Ｂに示されるように、透光性を有するガラスシート又は透光性を有する樹脂フィルムである。この第２基材１００ｂは、第１面と、この第１面の裏側の第２面とを有している。第２基材１００ｂの第１面上に第２電極層２００ｂが設けられている。低反射部６００は、第２基材１００ｂの第２面上に設けられている。低反射部６００は、ＬＲ（Ｌｏｗ  Ｒｅｆｌｅｃｔｉｖｅ）フィルム、ＡＧ（Ａｎｔｉ−Ｇｌａｒｅ）フィルム、ＡＲ（Ａｎｔｉ−Ｒｅｆｌｅｃｔｉｏｎ）フィルム、モスアイフィルム又は偏光板等である。
【００２０】
第２電極層２００ｂは、図１Ａ及び図２Ｂに最も良く示されているように、複数の第２電極２１０ｂと、複数の第２配線２２０ｂとを有している。第２電極２１０ｂは、Ｙ−Ｙ’方向に延びた長尺状の透明導電膜、導電ワイヤー又は導体であって、第２基材１００ｂの第１面上にＸ−Ｘ’方向に間隔をあけて設けられている。第２電極２１０ｂは駆動電極（ドライブ電極）である。第２電極２１０ｂは、第１電極２１０ａに直角に交差するように配置されている。前記透明導電膜は、第１電極２１０ａの透明電極膜と同様の構成とすることが可能である。前記導電ワイヤーも、第１電極２１０ａの導電ワイヤーと同様の構成とすることが可能である。
【００２１】
第２配線２２０ｂは、長尺状の透明導電膜、金属（例えば、銀（Ａｇ）、モリブデン（Ｍｏ）、アルミニウム（Ａｌ）又は銅（Ｃｕ））、合金（例えば、銀（Ａｇ）、パラジウム（Ｐｄ）及び銅（Ｃｕ）の合金）又はメタルワイヤーである。前記透明導電膜は第２電極２１０ｂの透明導電膜と同じ素材で構成することが可能である。第２配線２２０ｂは、第２基材１００ｂの第１面上に間隔を空けて設けられ、第２電極２１０ｂの端に各々接続されている。第２配線２２０ｂは、第１電極層２００ａの第１電極２１０ａに対して略平行に延びる第２平行部２２１ｂを有している。距離Ｄ２は、第２平行部２２１ｂのうちＹ方向側の最も端に位置する第１電極２１０ａの最も近くに配置された第２平行部２２１ｂと、当該第１電極２１０ａとの間のＹ−Ｙ’方向の距離（投影距離）である。距離Ｄ２は、静電結合Ｃ３が静電結合Ｃ４よりも小さくなる（約１／１０以下となる）程度の距離（例えば、０.８ｍｍ以上）に設定されている。静電結合Ｃ３は、最も近くに配置された第２平行部２２１ｂと、最も端に位置する第１電極２１０ａとの静電結合である。静電結合Ｃ４は、最も端に位置する第１電極２１０ａと、最も近くに配置された第２平行部２２１ｂを有する第２配線２２０ｂに接続された第２電極２１０ｂとの交差部分の静電結合である。
【００２２】
第２保護層３００ｂは、図１Ｂに示すように、透光性を有する絶縁層（例えば、アクリル系材料）であって、第２電極層２００ｂ上に設けられている。第２保護層３００ｂが、第２電極２１０ｂ及び／又は第２配線２２０ｂを覆っている。
【００２３】
第２接着層５００ｂは、図１Ｂに示すように、透光性を有する接着剤又は両面テープであって、第１基材１００ａの第２面と第２保護層３００ｂとを接着している。
【００２４】
第１電極層２００ａと第２電極層２００ｂとの間に介在する第１基材１００ａ、第２接着層５００ｂ及び第２保護層３００ｂ（複数の層間部）の厚み寸法が、各第１電極２１０ａと各第２電極２１０ｂとのそれぞれの結合容量値が０．５ｐＦ以上２ｐＦ以下となるような寸法に設定されている。後述の通り、第２電極２１０ｂの出力信号が増幅されることを考慮すると、第１基材１００ａ、第２接着層５００ｂ及び第２保護層３００ｂの厚み寸法は、各第１電極２１０ａと各第２電極２１０ｂとのそれぞれの結合容量値が０．５ｐＦ以上１ｐＦ以下となるような寸法に設定されていることがより好ましい。例えば、第１基材１００ａがソーダライムガラスで構成され、第２接着層５００ｂが両面テープで構成され、第２保護層３００ｂがアクリル系材料で構成されている場合、第１基材１００ａの厚み寸法が０.５ｍｍ以上とし、第２接着層５００ｂの厚み寸法が０.０５ｍｍとし、第２保護層３００ｂの厚み寸法を２μｍとすることによって、各第１電極２１０ａと各第２電極２１０ｂとのそれぞれの結合容量値が０．５ｐＦ以上１ｐＦ以下とすることができる。
【００２５】
第１、第２基材１００ａ、１００ｂの端には外部接続部２０が固着され、第１、第２配線２２０ａ、２２０ｂに接続されている。外部接続部２０はＦＰＣ等である。第１、第２電極２１０ａ、２１０ｂが、第１、第２配線２２０ａ、２２０ｂ及び外部接続部２０を介して制御部１０（例えば、検出用ＩＣ）に接続可能である。制御部１０は、第１電極２１０ａに順次駆動パルスを供給し、これによって第２電極２１０ｂから順次得られる出力信号に基づいて、各第１、第２電極２１０ａ、２１０ｂのそれぞれの結合容量の変化に応じた検出データを得る。
【００２６】
以上のようなタッチパネルＴ１は以下の技術的特徴を有する。第１に、第２電極２１０ｂの出力信号が制御部１０内の増幅器によって増幅されたとしても、増幅された信号が制御部１０の上限値を超える可能性（制御部１０が飽和状態になる可能性）を低減することができる。なぜなら、複数の層間部の厚み寸法が上記の通り設定され、第１電極２１０ａと第２電極２１０ｂとの間のＺ−Ｚ’方向の距離が離されることによって、各第１電極２１０ａと各第２電極ｂとのそれぞれの結合容量値が０．５ｐＦ以上２ｐＦ以下（より好ましくは、０．５ｐＦ以上１ｐＦ以下）となっているからである。このため、制御部１０によって第２電極２１０ｂの出力信号を増幅させることが可能になるので、タッチパネルＴ１の感度を向上させることが可能になる。
【００２７】
第２に、各第１電極２１０ａと各第２電極２１０ｂとのそれぞれの結合容量値を０．５ｐＦ以上２ｐＦ以下（より好ましくは、０．５ｐＦ以上１ｐＦ以下）とするために、第１電極２１０ａと第２電極２１０ｂとの間のＺ−Ｚ’方向の距離が離されたとしても、タッチパネルＴ１の感度の低下が生来するのを抑制することができる。その理由は以下の通りである。タッチパネルＴ１は、各第１電極２１０ａと各第２電極２１０ｂとのそれぞれの結合容量値を０．５ｐＦ以上２ｐＦ以下（より好ましくは、０．５ｐＦ以上１ｐＦ以下）とするために、第１電極２１０ａと第２電極２１０ｂとの間のＺ−Ｚ’方向の距離が離されている。このため、第１配線２２０ａの最も近くに配置された第１平行部２２１ａと、最も端に位置する第２電極２１０ｂとの静電結合及び／又は第２配線２２０ｂの最も近くに配置された第２平行部２２１ｂと、最も端に位置する第１電極２１０ａとの静電結合が、各第１電極２１０ａと各第２電極２１０ｂとのそれぞれの結合容量の変化に影響を与え、タッチパネルＴ１の感度が低下する恐れがある。しかし、距離Ｄ１及び距離Ｄ２が上記の通り規定されているので、前記影響を抑制することができる。
【実施例２】
【００２８】
以下、本発明の実施例２に係る静電容量型タッチパネルＴ２について図３を参照しつつ説明する。タッチパネルＴ２は、第１、第２基材１００ａ、１００ｂの代りに基材１００を備えており、第２接着層５００ｂ及び低反射部６００が省略されている点で実施例１のタッチパネルＴ１と相違する以外、タッチパネルＴ１と同様の構成である。以下、その相違点についてのみ詳しく説明し、タッチパネルＴ１の説明と重複する説明は省略する。
【００２９】
基材１００は、透光性を有するガラスシート又は透光性を有する樹脂フィルムである。この基材１００は、第１面と、この第１面の裏側の第２面とを有している。基材１００の第１面上に第１電極層２００ａが設けられている。具体的には、第１電極層２００ａの第１電極２１０ａが基材１００の第１面上にＹ−Ｙ’方向に間隔を空けて設けられている。第１電極層２００ａの図示しない第１配線は基材１００の第１面上に設けられている。基材１００の第２面上に第２電極層２００ｂが設けられている。具体的には、第２電極層２００ｂの第２電極２１０ｂが基材１００の第２面上にＸ−Ｘ’方向に間隔を空けて設けられ、第１電極２１０ａに直角に交差するように配置されている。第２電極層２００ｂの第２配線２２０ｂは基材１００の第２面上に設けられている。基材１００に外部接続部２０（図１Ａを借りて参照）が固着され、第１配線及び第２配線２２０ｂに接続されている。第１、第２電極２１０ａ、２１０ｂは第１配線、第２配線２２０ｂ及び外部接続部２０を介して制御部１０（図１Ａを借りて参照）に接続可能である。
【００３０】
第２保護層３００ｂは、透光性を有する樹脂層（例えば、アクリル系樹脂）であって、第２電極層２００ｂ上に設けられている。第２保護層３００ｂが、Ｚ’方向側から第２電極２１０ｂ及び／又は第２配線２２０ｂを覆っている。なお、第２保護層３００ｂは低反射部６００に置換可能である。第２保護層３００ｂ上に低反射部６００を設けることも可能である。
【００３１】
第１電極層２００ａと第２電極層２００ｂとの間に介在する基材１００（一の層間部）の厚み寸法が、各第１電極２１０ａと各第２電極２１０ｂとのそれぞれの結合容量値が０．５ｐＦ以上２ｐＦ以下（より好ましくは、０．５ｐＦ以上１ｐＦ以下）となるような寸法に設定されている。
【００３２】
以上のようなタッチパネルＴ２は、タッチパネルＴ１と同様の第１、第２の技術的特徴を有する。特に、タッチパネルＴ２では、一の層間部（基材１００）の厚み寸法が上記の通り設定され、第１電極２１０ａと第２電極２１０ｂとの間のＺ−Ｚ’方向の距離が離されることによって、各第１電極２１０ａと各第２電極ｂとのそれぞれの結合容量値が０．５ｐＦ以上２ｐＦ以下（より好ましくは、０．５ｐＦ以上１ｐＦ以下）となっている。このため、第２電極２１０ｂの出力信号が制御部１０内の増幅器によって増幅されたとしても、増幅された信号が制御部１０の上限値を超える可能性（制御部１０が飽和状態になる可能性）を低減することができる。
【実施例３】
【００３３】
以下、本発明の実施例３に係る静電容量型タッチパネルＴ３について図４を参照しつつ説明する。タッチパネルＴ３は、第１、第２基材１００ａ、１００ｂの代りに基材１００’及び絶縁層７００を備えており、第２保護層３００ｂ及び第２接着層５００ｂが省略されている点で実施例１のタッチパネルＴ１と相違する以外、タッチパネルＴ１と同様の構成である。以下、その相違点についてのみ詳しく説明し、タッチパネルＴ１の説明と重複する説明は省略する。
【００３４】
基材１００’は、透光性を有するガラスシート又は透光性を有する樹脂フィルムである。この基材１００’は、第１面と、この第１面の裏側の第２面とを有している。基材１００’の第１面上に第２電極層２００ｂが設けられている。より具体的には、第２電極層２００ｂの第２電極２１０ｂが基材１００’の第１面上にＸ−Ｘ’方向に間隔をあけて設けられている。第２電極層２００ｂの第２配線２２０ｂが基材１００’の第１面上に設けられている。基材１００’の第２面上に低反射部６００が固着されている。
【００３５】
絶縁層７００は第２電極層２００ｂ上に設けられている。絶縁層７００上に第１電極層２００ａ’が設けられている。具体的には、第１電極層２００ａ’の第１電極２１０ａが絶縁層７００上にＹ−Ｙ’方向に間隔を空けて設けられ、第２電極２１０ｂに直角に交差するように配置されている。第１電極層２００ａ’の図示しない第１配線は基材１００’の第１面上に設けられている。基材１００’に外部接続部２０（図１Ａを借りて参照）が固着され、第１配線及び第２配線２２０ｂに接続されている。第１、第２電極２１０ａ、２１０ｂは第１配線、第２配線２２０ｂ及び外部接続部２０を介して制御部１０（図１Ａを借りて参照）に接続可能である。
【００３６】
第１、第２電極層２００ａ’、２００ｂ間に介在する絶縁層７００（一の層間部）の厚み寸法が、各第１電極２１０ａと各第２電極２１０ｂとのそれぞれの結合容量値が０．５ｐＦ以上２ｐＦ以下（より好ましくは、０．５ｐＦ以上１ｐＦ以下）となるような寸法に設定されている。
【００３７】
以上のようなタッチパネルＴ３は、タッチパネルＴ１と同様の第１、第２の技術的特徴を有する。特に、タッチパネルＴ３では、一の層間部（絶縁層７００）の厚み寸法が上記の通り設定され、第１電極２１０ａと第２電極２１０ｂとの間のＺ−Ｚ’方向の距離が離されることによって、各第１電極２１０ａと各第２電極ｂとのそれぞれの結合容量値が０．５ｐＦ以上２ｐＦ以下（より好ましくは、０．５ｐＦ以上１ｐＦ以下）となっている。このため、第２電極２１０ｂの出力信号が制御部内の増幅器によって増幅されたとしても、増幅された信号が制御部の上限値を超える可能性（制御部が飽和状態になる可能性）を低減することができる。
【００３８】
なお、上記した静電容量型タッチパネルは、上記実施例に限定されるものではなく、特許請求の範囲の記載範囲において任意に設計変更することが可能である。以下、詳しく述べる。
【００３９】
本発明の第１電極層は、第１方向に間隔をあけて配置された複数の第１電極を有する限り任意に設計変更することが可能である。本発明の第２電極層は、第１電極に交差するように、第１方向に交差する第２方向に間隔をあけて配置された複数の第２電極を有する限り任意に設計変更することが可能である。第１電極が駆動電極、第２電極が検出電極とすることが可能である。
【００４０】
本発明の第１電極層の第１配線は、上記した何れかの態様の第１電極に接続されている限り任意に設計変更することが可能である。第２方向における第１平行部のうちの第２電極の最も近くに配置された第１平行部から、当該第２電極までの距離は、静電結合Ｃ１が静電結合Ｃ２よりも小さくなる（約１／１０以下となる）程度の距離とすることが可能である。静電結合Ｃ１は、最も端に位置する第２電極の最も近くに配置された第１平行部と、当該最も端に位置する第２電極との静電結合である。静電結合Ｃ２は、前記最も端に位置する第２電極と、前記最も近くに配置された第１平行部を有する第１配線に接続された第１電極との交差部分の静電結合である。前記距離は０.４ｍｍ以下とすることも可能である。また、第１配線は第１平行部を有しない構成とすることが可能である。
【００４１】
本発明の第２電極層の第２配線は、上記した何れかの態様の第２電極に接続されている限り任意に設計変更することが可能である。第１方向における第２平行部のうちの第１電極の最も近くに配置された第２平行部から、当該第１電極までの距離は、静電結合Ｃ３が静電結合Ｃ４よりも小さくなる（約１／１０以下となる）程度の距離とすることが可能である。静電結合Ｃ３は、最も端に位置する第１電極の最も近くに配置された第２平行部と、当該最も端に位置する第１電極との静電結合である。静電結合Ｃ４は、前記最も端に位置する第１電極と、前記最も近くに配置された第２平行部を有する第２配線に接続された第２電極との交差部分の静電結合である。前記距離は０.８ｍｍ以下とすることも可能である。また、第２配線は第２平行部を有しない構成とすることが可能である。なお、本発明の第１配線及び／又は第２電極は省略可能である。
【００４２】
本発明のタッチパネルは、第１電極と、第１基材、基材又は絶縁層との間に介在する第１インデックスマッチング層を更に備えた構成とすることが可能である。第１インデックスマッチング層の屈折率は、第１基材、基材又は絶縁層の屈折率より大きく且つ第１電極の屈折率よりも小さいと良い。本発明のタッチパネルは、第２電極と、第２基材又は基材との間に介在する第２インデックスマッチング層を更に備えた構成とすることが可能である。第２インデックスマッチング層の屈折率は、第１基材又は基材の屈折率より大きく且つ第２電極の屈折率よりも小さいと良い。
【００４３】
本発明の一又は複数の層間部は、第１電極層と第２電極層との間に介在し、且つ当該層間部の厚み寸法が、各第１電極と各第２電極とのそれぞれの結合容量値が０．５ｐＦ以上２ｐＦ以下となるような寸法である限り任意に設計変更することが可能である。換言すると、一又は層間部の厚み寸法は、複数の第１電極のうちの一の第１電極と複数の第２電極のうちの一の第２電極との結合容量値が、それぞれ０．５ｐＦ以上２ｐＦ以下（より好ましくは０．５ｐＦ以上１ｐＦ以下）となるような寸法であると良い。
【００４４】
本発明の第１保護層、第２保護層、カバーパネル、第１接着層、第２接着層、外部接続部及び／又は低反射部は省略可能である。本発明の外部接続部は、第１、第２電極と制御部とを接続し得るものである限り任意に設定可能である。
【００４５】
なお、上記実施例及び設計変形例における静電容量型タッチパネルの各構成要素を構成する素材、形状、寸法、数及び配置等はその一例を説明したものであって、同様の機能を実現し得る限り任意に設計変更することが可能である。上記した実施例及び設計変更例は、互いに矛盾しない限り、相互に組み合わせることが可能である。本発明の第１方向は、任意に設定可能である。本発明の第２方向は、第１方向に交差している限り任意に設定可能である。本発明の第２方向は、第１及び第２方向に交差している限り任意に設定可能である。
【符号の説明】
【００４６】
Ｔ１・・・・・・タッチパネル
１００ａ・・・第１基材
１００ｂ・・・第２基材
２００ａ・・・第１電極層
２１０ａ・・第１電極
２２０ａ・・第１配線
２２１ａ・第１平行部
２００ｂ・・・第２電極層
２１０ｂ・・第２電極
２２０ｂ・・第２配線
２２１ｂ・第２平行部
３００ａ・・・第１保護層
３００ｂ・・・第２保護層
４００・・・・カバーパネル
５００ａ・・・第１接着層
５００ｂ・・・第２接着層
６００・・・・低反射部
Ｄ１・・・・・・距離
Ｄ２・・・・・・距離
Ｔ２・・・・・・タッチパネル
１００・・・・基材
Ｔ３・・・・・・タッチパネル
１００’・・・基材
２００ａ’・・第１電極層
７００・・・・絶縁層
【図１Ａ】
2016009213.tif 000003
【図１Ｂ】
2016009213.tif 000004
【図２Ａ】
2016009213.tif 000005
【図２Ｂ】
2016009213.tif 000006
【図３】
2016009213.tif 000007
【図４】
2016009213.tif 000008